(57)【要約】【課題】使用時には使用者の脹脛（ふくらはぎ）に精度良く装着されるとともに不使用時には型崩れを抑えて見栄えを維持できるブーツ型下肢用保温具を提供する。【解決手段】ブーツ型下肢用保温具１００は、使用者Ｕの足先を収容する足先収容部１１０と、脹脛を収容する脹脛収容部１２０とで構成されている。足先収容部１１０および脹脛収容部１２０は、外表面を構成する表生地が起毛布帛によって構成されるとともに内表面を構成する裏生地が立毛布帛（ボア生地）によって構成されている。脹脛収容部１２０における側面には、脹脛収容部１２０内に使用者Ｕの下肢が延びる方向である長手方向に沿って補強部１２１が形成されている。補強部１２１は、糸１２２を割り伏せ縫いすることによって隣接して平行に並ぶ３つの縫合線で構成されている。【選択図】  図１
2015063769.tif 000002
【特許請求の範囲】
【請求項１】
人の下肢における踝から先の足先を収容する足先収容部と、
前記下肢における踝から脹脛までを覆う筒状に延びて形成された脹脛収容部とが一体的に形成されたブーツ型下肢用保温具であって、
前記足先収容部は、少なくとも立毛布帛で構成されており、
前記脹脛収容部は、少なくとも立毛布帛で構成されるとともに、前記収容する脹脛の上下方向に沿って糸を縫って構成された補強部が形成されていることを特徴とするブーツ型下肢用保温具。
【請求項２】
請求項１に記載したブーツ型下肢用保温具において、
前記補強部は、
前記脹脛収容部の周方向に沿って隣接して並ぶ少なくとも３つの縫合線によって構成されていることを特徴とするブーツ型下肢用保温具。
【請求項３】
請求項１または請求項２に記載したブーツ型下肢用保温具において、
前記補強部は、
前記脹脛収容部における前記下肢の内側となる部分に形成されていることを特徴とするブーツ型下肢用保温具。
【請求項４】
請求項１ないし請求項３のうちのいずれか１つに記載したブーツ型下肢用保温具において、
前記足先収容部は、
前記下肢における親指付根から踵までの間の横幅が前記下肢における親指付根と小指付根との幅である足幅以上の長さで形成されていることを特徴とするブーツ型下肢用保温具。
【発明の詳細な説明】
【技術分野】
【０００１】
本発明は、主として室内で人の下肢を保温するブーツ型下肢用保温具に関する。
【背景技術】
【０００２】
従来から、人の下肢における足先から脹脛（ふくらはぎ）までを覆って保温するブーツ型下肢用保温具が提案されている。例えば、下記特許文献１には、毛糸を編んで形成した有底筒状体によって人の足先から脹脛までを覆うように構成したブーツ型下肢用保温具が開示されている。
【先行技術文献】
【特許文献】
【０００３】
【特許文献１】実用新案登録第３１２４２２６号公報
【０００４】
しかしながら、上記特許文献１に記載されたブーツ型下肢用保温具においては、人の足先から脹脛までを覆う有底筒状体が毛糸を編んで構成されているため脹脛を覆う筒状部分が自立することができず、使用時には筒状部が脹脛からずり落ちて保温性が低下するとともにずり落ちた筒状部を引き上げる作業も必要になって使用感が悪いという問題があった。また、このブーツ型下肢用保温具を使用しない不使用時においては、前記筒状部が床面上に折り重なって見栄えが悪いという問題もあった。
【発明の概要】
【０００５】
本発明は上記問題に対処するためなされたもので、その目的は、使用時には使用者の脹脛（ふくらはぎ）に精度良く装着されるとともに不使用時には型崩れを抑えて見栄えを維持できるブーツ型下肢用保温具を提供することにある。
【０００６】
上記目的を達成するため、本発明の特徴は、人の下肢における踝から先の足先を収容する足先収容部と、下肢における踝から脹脛までを覆う筒状に延びて形成された脹脛収容部とが一体的に形成されたブーツ型下肢用保温具であって、足先収容部は、少なくとも立毛布帛で構成されており、脹脛収容部は、少なくとも立毛布帛で構成されるとともに、収容する脹脛の上下方向に沿って糸を縫って構成された補強部が形成されていることにある。この場合、立毛布帛は、綿、麻および絹を単体でまたはこれらを混合したものを原糸とした布や織物などの繊維製品の表面に毛足の長い繊維を立毛させる立毛処理を施したものである。
【０００７】
このように構成した本発明の特徴によれば、ブーツ型下肢用保温具は、使用者の足先を収容する足先収容部および脹脛を覆う脹脛収容部がそれぞれ立毛布帛で構成されることによって保温性を有しつつ型崩れ難く構成されている。また、上方に向かって筒状に延びる脹脛収容部は、側面に長手方向に沿って糸を縫って構成した補強部が形成されているため床面に向かって倒れたり崩れたりすることなく自立した状態を維持することができる。これらにより、ブーツ型下肢用保温具は、使用時には使用者の脹脛に精度良く装着されるとともに不使用時には型崩れを抑えて見栄えを維持することができる。
【０００８】
また、本発明の他の特徴は、前記ブーツ型下肢用保温具において、補強部は、脹脛収容部の周方向に沿って隣接して並ぶ少なくとも３つの縫合線によって構成されていることにある。
【０００９】
このように構成した本発明の他の特徴によれば、ブーツ型下肢用保温具は、補強部が隣接して並ぶ少なくとも３つの縫合線によって構成されているため、脹脛収容部の倒れや崩れに対する強度を高めることができる。なお、この場合、本発明者の実験によれば、補強部は、３つの縫合線で構成（例えば、割り伏せ縫い）することにより、脹脛収容部の見栄えへの影響を抑えながら脹脛収容部の倒れや崩れに対する強度を高めることができる。
【００１０】
また、本発明の他の特徴は、前記補強部は、脹脛収容部における下肢の内側となる部分に形成されていることにある。
【００１１】
このように構成した本発明の他の特徴によれば、ブーツ型下肢用保温具は、補強部が脹脛収容部における下肢の内側に対向する側面に形成されているため、外観上の見栄えへの影響をより抑えながら脹脛用収容部を補強することができる。
【００１２】
また、本発明の他の特徴は、前記ブーツ型下肢用保温具において、足先収容部は、下肢における親指付根から踵までの間の横幅が下肢における親指付根と小指付根との幅である足幅以上の長さで形成されていることにある。
【００１３】
このように構成した本発明の他の特徴によれば、ブーツ型下肢用保温具は、足先収容部の横幅のうち収容する足先の親指付根から踵までの間の横幅を人の足幅（親指付根と小指付根との幅）以上の長さで形成している。すなわち、ブーツ型下肢用保温具は、足先収容部における親指付根から踵までの間の横幅を少なくとも足先の最も幅広の部分の幅以上の幅を確保して形成されているため、縦方向に延びて形成されるブーツ型下肢用保温具の倒れを効果的に防止して不使用時における外観上の見栄えへ良好に保つことができる。
【図面の簡単な説明】
【００１４】
【図１】本発明の一実施形態に係るブーツ型下肢用保温具の外観構成の概略を使用状態によって示す斜視図である。
【図２】図１に示したブーツ型下肢用保温具の外観構成の概略を示した底面図である。
【図３】図１に示したブーツ型下肢用保温具の外観構成の概略を使用者の下肢の内側となる方向から見た側面図である。
【発明を実施するための形態】
【００１５】
以下、本発明に係るブーツ型下肢用保温具の一実施形態について図面を参照しながら説明する。図１は、本発明に係るブーツ型下肢用保温具１００の外観構成の概略を使用状態によって示す斜視図である。なお、この図１は、使用者Ｕが椅子Ｃに着座した状態でブーツ型下肢用保温具１００を使用した状態を示している。また、図２は、図１に示したブーツ型下肢用保温具１００の外観構成の概略を示した底面図である。また、図３は、図１に示したブーツ型下肢用保温具１００の外観構成の概略を使用者Ｕの下肢の内側となる方向から見た側面図である。このブーツ型下肢用保温具１００は、使用者Ｕが床や椅子に着座する際に下肢における脹脛（ふくらはぎ）から下の部分に履いて使用する保温具（防寒具でもある）である。
【００１６】
（ブーツ型下肢用保温具１００の構成）
ブーツ型下肢用保温具１００は、主として、足先収容部１１０と脹脛収容部１２０とで構成されている。足先収容部１１０は、使用者Ｕの足先（下肢における踝（くるぶし）からつま先までの部分）を出し入れ自在に収容する部分であり、使用者Ｕの足先を余裕も持って出し入れおよび収容できる大きさの有底筒状に形成されている。この足先収容部１１０は、足先収容部１１０の外表面を構成する表生地と同足先収容部１１０の内表面を構成する裏生地との間にポリエステル製の綿（図示せず）を詰めて構成されている。
【００１７】
より具体的には、足先収容部１１０は、足先収容部１１０の外表面を構成する表生地が起毛布帛によって構成されるとともに同足先収容部１１０の内表面を構成する裏生地が立毛布帛によって構成されている。この場合、起毛布帛は、綿、麻および絹を単体でまたはこれらを混合したものを原糸とした布や織物などの繊維製品の表面に毛足の短い繊維を毛羽立させる起毛処理を施したものである。この起毛処理は、生地表面の主として肌触りを良くするものである。また、立毛布帛は、前記繊維製品の表面に毛足の長い繊維を立毛させる立毛処理を施したものである。また、立毛処理は、生地表面の主として肌触りおよび保温性を高めるものである。
【００１８】
本実施形態においては、足先収容部１１０の表生地は、ポリエステル製の生地表面に起毛処理を施すことによって表面がスエード調に形成されている。また、本実施形態においては、足先収容部１１０の表生地は、ポリエステル製の生地表面に立毛処理を施すことによってシープ調のボア生地で構成されている。
【００１９】
また、この足先収容部１１０は、図２に示すように、横幅Ｗのうち使用者Ｕの下肢における親指付根から踵までの間に相当する範囲Ｌの横幅Ｗが下肢における親指付根と小指付根との幅である足幅以上の長さで形成されている。具体的には、足先収容部１１０は、使用者Ｕの親指付根から踵までの間に相当する範囲Ｌの横幅Ｗが使用者Ｕの足幅が余裕を持って収容できる一定の幅で形成されている。本実施形態においては、足先収容部１１０は、底面が長方形状に形成されている。
【００２０】
脹脛収容部１２０は、使用者Ｕの脹脛（ふくらはぎ）から踝（くるぶし）までの間の下腿を出し入れ自在に収容する部分であり、使用者Ｕの下腿を余裕も持って出し入れおよび収容できる大きさの筒状に形成されている。この脹脛収容部１２０は、脹脛収容部１２０の外表面を構成する表生地と同脹脛収容部１２０の内表面を構成する裏生地との間にポリエステル製の綿（図示せず）を詰めて構成されている。
【００２１】
より具体的には、脹脛収容部１２０は、脹脛収容部１２０の外表面を構成する表生地が起毛布帛によって構成されるとともに同脹脛収容部１２０の内表面を構成する裏生地が立毛布帛によって構成されている。本実施形態においては、脹脛収容部１２０の表生地は、足先収容部１１０と同じポリエステル製の生地表面に起毛処理を施すことによって表面がスエード調に形成されている。また、本実施形態においては、脹脛収容部１２０の表生地は、足先収容部１１０と同じポリエステル製の生地表面に立毛処理を施すことによってシープ調のボア生地で構成されている。
【００２２】
この脹脛収容部１２０における側面には、図３に示すように、脹脛収容部１２０内に使用者Ｕの下肢が延びる方向である長手方向に沿って補強部１２１が形成されている。補強部１２１は、筒状に起立した状態の脹脛収容部１２０の折れ、倒れおよび崩れなどの型崩れを防止するための部分であり、糸１２２を縫合することによって構成されている。
【００２３】
本実施形態においては、補強部１２１は、脹脛収容部１２０の前側（使用者Ｕの向う脛（むこうずね）側）を構成する表生地および裏生地と、脹脛収容部１２０の後側（使用者Ｕの脹脛側）を構成する表生地および裏生地とにおける各一方の端部同士を糸１２２で縫合することにより形成されている。この場合、補強部１２１は、糸１２２を割り伏せ縫いすることによって隣接して平行に並ぶ３つの縫合線で構成されている。また、補強部１２１は、脹脛収容部１２０における使用者Ｕの下肢の内側となる側の側面に形成されている。なお、図３においては、互いに平行に並ぶ３つの縫合線を構成する３つの糸１２２のうち、真ん中の糸１２２は脹脛収容部１２０の表生地が内部側に折り込まれて外側からは見えない。
【００２４】
また、脹脛収容部１２０の側面における補強部１２１とは反対側（使用者Ｕの下腿の外側）には、開閉部１２３が形成されている。開閉部１２３は、脹脛収容部１２０に対して使用者Ｕの下腿を出し入れする際に脹脛収容部１２０の上端部に開口する開口部１２４を開口具合を広げるための切れ目であり、脹脛収容部１２０の上端部と中央部との間に亘って形成されている。
【００２５】
この開閉部１２４を構成する２つの片には、留め具１２５が設けられている。留め具１２５は、開閉部１２４を閉じた際に閉じた状態を維持するための部材であり、互いに着脱自在に掛かる円盤状のボタン１２５ａとゴム紐からなるループ１２５ｂとで構成されている。
【００２６】
ここで、ブーツ型下肢用保温具１００の製造過程について簡単に説明しておく。まず、作業者は、使用者Ｕの足先部分、すなわち、足裏部分、足先の甲部分および足先の踵部分にそれぞれ対応した表生地および裏生地を用意するとともに、これらの各表生地と各裏生地とを綿（図示せず）を介して重ねた３つの重ね生地を互いに縫合して足先収容部１１０を成形する。これにより、作業者は、足先を出し入れ可能な靴形の足先収容部１１０を得ることができる。
【００２７】
次に、作業者は、使用者Ｕの下腿における前側半分および後側半分をそれぞれ覆う表生地および裏生地を用意する。この場合、使用者Ｕの下腿における前側半分および後側半分をそれぞれ覆う各裏生地は、表生地に比べて使用者Ｕの身長方向に長く形成されている。次いで、作業者は、これらの各表生地と各裏生地とを綿（図示せず）を介して重ねた２つの重ね生地を互いに縫合して脹脛収容部１２０を成形する。
【００２８】
この場合、作業者は、前記重ねた２つの生地のうちの一方の端部同士を糸１２２で縫合して補強部１２１を形成する。また、作業者は、前記重ねた２つの生地のうちの他方の端部同士のうちの約半分を縫合して連結するとともに残余の部分を連結しない開閉部１２３として形成する。また、作業者は、表生地よりも長く形成された裏生地を脹脛収容部１２０における開口部１２３において裏生地の端部が表生地の端部を覆うように折り返して裏生地の端部が表側に露出するように縫合する。
【００２９】
次に、作業者は、足先収容部１１０の上端の開口部と脹脛収容部１２０の下端の開口部とを互いに縫合して一体化する。この場合、作業者は、足先収容部１１０の上端の開口部または脹脛収容部１２０の下端の開口部の一方において、裏生地を表生地に対して長く形成しておき、足先収容部１１０と脹脛収容部１２０との縫い目上に露出させて縫合することによって同縫い目を裏生地で隠すことができる。これらの作業により、使用者Ｕの下腿から足先までの部分を一体的に覆うブーツ型下肢用保温具１００を得ることができる。
【００３０】
（ブーツ型下肢用保温具１００の作動）
次に、上記のように構成したブーツ型下肢用保温具１００の作動について説明する。このブーツ型下肢用保温具１００は、使用者Ｕが主として椅子に着座する際に下腿に履いて用いられる。まず、使用者Ｕは、椅子に着座するに際してブーツ型下肢用保温具１００を用意する。
【００３１】
次に、使用者Ｕは、椅子Ｃに着座した状態または立ったままの状態でブーツ型下肢用保温具１００を履く。具体的には、使用者Ｕは、ブーツ型下肢用保温具１００における脹脛収容部１２０の留め具１２５を外して開口部１２４を広げた状態で脹脛収容部１２０内に足先から挿入していく。この場合、使用者Ｕは、ブーツ型下肢用保温具１００における脹脛収容部１２０が補強部１２１によって折れ、倒れおよび崩れなどが抑制されて自立するため足先を容易に挿入することができる。
【００３２】
そして、足先が足先収容部１１０内に収まった場合には、使用者Ｕは、留め具１２５を留める。これにより、使用者Ｕは、自身の足先が足先収容部１１０内に収容されるとともに自身の下腿が脹脛収容部１２０に覆われた状態でブーツ型下肢用保温具１００を履くことができる。なお、ブーツ型下肢用保温具１００における足先挿入部１１０および脹脛収容部１２０は、使用者Ｕの下肢に対して十分に大きな大きさに形成されているため、留め具１２５を外さなくても履くことができる。
【００３３】
使用者Ｕに履かれた使用状態のブーツ型下肢用保温具１００は、補強部１２１によって脹脛収容部１２０が自立した状態を維持するため、脹脛収容部１２０のずり下がりが防止されて保温性が損なわれることが防止される。また、ブーツ型下肢用保温具１００は、脹脛収容部１２０の裏生地が立毛布帛で構成されているため使用者Ｕの下腿と間に生じる摩擦によっても脹脛収容部１２０のずり下がりが防止される。これらにより、ブーツ型下肢用保温具１００は、使用者Ｕが着座状態で下肢を動かしたり、または歩行したりした場合であっても保温性を維持することができる。
【００３４】
次に、ブーツ型下肢用保温具１００の使用を終える場合には、使用者Ｕは、ブーツ型下肢用保温具１００における脹脛収容部１２０の留め具１２５を外して開口部１２４を広げた後、足先収容部１１０内および脹脛収容部１２０内からそれぞれ足先を抜く。この場合においても使用者Ｕは、ブーツ型下肢用保温具１００における脹脛収容部１２０が補強部１２１によって折れ、倒れおよび崩れなどが抑制されて自立するため足先を容易に挿入することができる。
【００３５】
そして、足先が脹脛収容部１２０内から抜けた場合には、使用者Ｕは、留め具１２５を留める。これにより、使用者Ｕは、ブーツ型下肢用保温具１００を脱ぐことができる。この後、ブーツ型下肢用保温具１００は、使用さない不要状態となるが、脹脛収容部１２０が補強部１２１によって折れ、倒れおよび崩れなどが抑制されて自立するため型崩れを抑えて見栄えを維持することができる。
【００３６】
上記作動説明からも理解できるように、上記実施形態によれば、ブーツ型下肢用保温具１００は、使用者Ｕの足先を収容する足先収容部１１０および脹脛を覆う脹脛収容部１２０がそれぞれ立毛布帛で構成されることによって保温性を有しつつ型崩れ難く構成されている。また、上方に向かって筒状に延びる脹脛収容部１２０は、側面に長手方向に沿って糸を縫って構成した補強部１２１が形成されているため床面に向かって倒れたり崩れたりすることなく自立した状態を維持することができる。これらにより、ブーツ型下肢用保温具１００は、使用時には使用者の脹脛に精度良く装着されるとともに不使用時には型崩れを抑えて見栄えを維持することができる。
【００３７】
さらに、本発明の実施にあたっては、上記実施形態に限定されるものではなく、本発明の目的を逸脱しない限りにおいて種々の変更が可能である。
【００３８】
例えば、上記実施形態においては、足先収容部１１０および脹脛収容部１２０を互いに異なる２種類の生地、具体的には表生地を起毛布帛で構成するとともに裏生地を立毛布帛で構成した。しかし、足先収容部１１０および脹脛収容部１２０は、少なくとも立毛布帛で構成することにより脹脛収容部１２０を自立させ易くすることができる。
【００３９】
また、上記実施形態においては、補強部１２１は、脹脛収容部１２０における使用者Ｕの下腿の内側に対向する側面に３つの縫合線を形成して構成した。しかし、補強部１２１は、脹脛収容部１２０における上下方向（使用者Ｕの下腿が延びる方向）に沿って形成されていれば、脹脛収容部１２０の周方向の位置は上記実施形態に限定されるものではない。したがって、補強部１２１は、例えば、脹脛収容部１２０における使用者Ｕの下腿の外側、前側および後側に対向する各側面に単独でまたは複数個所に形成することもできる。
【００４０】
また、補強部１２１は、脹脛収容部１２０上に少なくとも１つの縫合線で構成されていればよい。したがって、補強部１２１は、脹脛収容部１２０上に２または４つ以上形成することもできる。また、補強部１２１を構成する糸１２２の縫い方も割り伏せ縫い以外の縫い方、例えば、並縫い、本返し縫い、半返し縫い、袋縫いまたは折り伏せ縫いを用いることもできる。また、補強部１２１は、必ずしも２枚の生地を接合する部分に形成する必要はなく、１枚の生地上に形成することもできる。
【００４１】
また、上記実施形態においては、足先収容部１１０は、使用者Ｕの親指付根から踵までの間に相当する範囲Ｌの横幅Ｗが使用者Ｕの足幅が余裕を持って収容できる一定の幅で形成されている。これにより、ブーツ型下肢用保温具１００は、縦方向に延びて形成されるブーツ型下肢用保温具１００の倒れを効果的に防止して不使用時における外観上の見栄えへ良好に保つことができる。
【００４２】
しかし、足先収容部１１０は、使用者Ｕの親指付根から踵までの間に相当する範囲Ｌの横幅Ｗが使用者Ｕの足幅以上に形成されていればよく、必ずしも一定の幅で形成される必要はない。したがって、足先収容部１１０は、使用者Ｕの親指付根から踵までの間に相当する範囲Ｌの横幅Ｗが使用者Ｕの足幅以上の幅で変化、例えば、踵側に向かって広がるように形成することもできる。これによれば、ブーツ型下肢用保温具１００の安定性をより向上させることができる。
【符号の説明】
【００４３】
Ｕ…使用者、Ｃ…椅子、Ｌ…足先収容部における使用者Ｕの親指付根から踵までの間に相当する範囲の長さ、Ｗ…足先収容部における使用者Ｕの足幅に相当する横幅、
１００…ブーツ型下肢用保温具、
１１０…足先収容部、
１２０…脹脛収容部、１２１…補強部、１２２…糸、１２３…開閉部、１２４…開口部、１２５…留め具、１２５ａ…ボタン、１２５ｂ…ループ。
【図１】
2015063769.tif 000003
【図２】
2015063769.tif 000004
【図３】
2015063769.tif 000005